(57)【要約】【課題】  シーリング・ポンプアップ装置を確実に保護でき、しかもシーリング・ポンプアップ装置の利便性も向上させることが可能なシーリング・ポンプアップ装置収納体を得る。【解決手段】  収納体１２は、防水性部材で構成された収納体本体１４を有しており、シーリング・ポンプアップ装置の周囲を包囲した状態でバッグ状となって、外界から水分や埃等の異物が付着しないようにして収納できる。収納体本体１４は、展開状態では、ユーザー（作業者）に装着されるエプロン状の作業着２４となり、シーリング剤や、タイヤ・路面の泥や埃等のユーザーへの付着が防止できるので、利便性が向上する。【選択図】        図３
2007076664.tif 000002
【特許請求の範囲】
【請求項１】
パンクした空気入りタイヤ内に液状のシーリング剤を注入した後、空気入りタイヤ内へ加圧空気を供給して空気入りタイヤの内圧を昇圧するタイヤのシーリング・ポンプアップ装置を収納するシーリング・ポンプアップ装置収納体であって、
防水性部材で構成され前記シーリング・ポンプアップ装置を包囲して収納可能な収納体本体と、
前記収納体本体に備えられ、シーリング・ポンプアップ装置の収納状態で把持可能な把持部と、
前記収納体本体に備えられ、シーリング・ポンプアップ装置の非収納状態で作業者の少なくとも一部を覆うように収納体本体を作業者に装着可能とする装着部と、
を有することを特徴とするシーリング・ポンプアップ装置収納体。
【請求項２】
前記収納体本体が、ポンプアップ装置の非収納状態で展開可能とされていることを特徴とする請求項１に記載のシーリング・ポンプアップ装置収納体。
【請求項３】
前記装着部の少なくとも一部が前記把持部の少なくとも一部を兼ねていることを特徴とする請求項１または請求項２に記載のシーリング・ポンプアップ装置収納体。
【請求項４】
前記収納体本体に備えられ、シーリング・ポンプアップ装置を構成する構成部材に対応してこの構成部材を収納する収納部、
を有することを特徴とする請求項１〜請求項３のいずれか１項に記載のシーリング・ポンプアップ装置収納体。
【請求項５】
少なくとも作業者に装着された状態で発光する発光部材、
をさらに有することを特徴とする請求項１〜請求項４のいずれか１項に記載のシーリング・ポンプアップ装置収納体。
【請求項６】
前記発光部材が、外部から入射した光を反射する反射部材、
を含んで構成されていることを特徴とする請求項５に記載のシーリング・ポンプアップ装置収納体。
【発明の詳細な説明】
【技術分野】
【０００１】
本発明は、空気入りタイヤ内に圧縮空気を供給して空気入りタイヤの内圧を昇圧するタイヤのシーリング・ポンプアップ装置を収納するシーリング・ポンプアップ装置収納体に関する。
【背景技術】
【０００２】
近年、空気入りタイヤ（以下、単に「タイヤ」という。）がパンクした際に、タイヤ及びホイールを交換することなく、タイヤのパンク穴をシーリング剤により修理して所定の基準圧まで内圧を加圧（ポンプアップ）するタイヤのシーリング・ポンプアップ装置（以下、単に「シーリング・ポンプアップ装置」という。）が普及している。この種のシーリング・ポンプアップ装置としては、例えば、特許文献１に記載されているようなものがある。
【０００３】
ところで、このようなシーリング・ポンプアップ装置では、雨等の水分が不用意に付着しないようにして、シーリング・ポンプアップ装置を保護することが望ましい。
【０００４】
また、シーリング・ポンプアップ装置はある程度の重量があるため、容易に持ち運び能とすることが望ましい。また、パンク修理作業中には、シーリング剤が作業者に付着しないようにする等、利便性を向上させることが望ましい、
【特許文献１】特開２００４−３３８１５８号公報
【発明の開示】
【発明が解決しようとする課題】
【０００５】
本発明は上記事実を考慮し、シーリング・ポンプアップ装置を確実に保護でき、しかもシーリング・ポンプアップ装置の利便性も向上させることが可能なシーリング・ポンプアップ装置収納体を得ることを課題とする。
【課題を解決するための手段】
【０００６】
請求項１に記載の発明では、パンクした空気入りタイヤ内に液状のシーリング剤を注入した後、空気入りタイヤ内へ加圧空気を供給して空気入りタイヤの内圧を昇圧するタイヤのシーリング・ポンプアップ装置を収納するシーリング・ポンプアップ装置収納体であって、防水性部材で構成され前記シーリング・ポンプアップ装置を包囲して収納可能な収納体本体と、前記収納体本体に備えられ、シーリング・ポンプアップ装置の収納状態で把持可能な把持部と、前記収納体本体に備えられ、シーリング・ポンプアップ装置の非収納状態で作業者の少なくとも一部を覆うように収納体本体を作業者に装着可能とする装着部と、を有することを特徴とする。
【０００７】
収納体本体は防水性部材で構成されているので、シーリング・ポンプアップ装置を包囲して収納した状態では、雨等の水分からシーリング・ポンプアップ装置を確実に保護できる。
【０００８】
また、収納体本体には把持部が備えられているので、シーリング・ポンプアップ装置の収納状態で把持部を把持すれば、容易に持ち運び可能となる。
【０００９】
さらに、収納体本体には装着部が備えられており、シーリング・ポンプアップ装置の非収納状態で作業者が収納体本体を装着すれば、作業者の少なくとも一部が収納体本体で覆われる。これにより、パンク修理の作業中にシーリング剤や、その他の異物（路上の埃や土等を含む）が作業者に付着することを防止できる。
【００１０】
このように、把持部及び装着部によって、シーリング・ポンプアップ装置の利便性が向上する。
【００１１】
請求項２に記載の発明では、請求項１に記載の発明において、前記収納体本体が、ポンプアップ装置の非収納状態で展開可能とされていることを特徴とする。
【００１２】
このように収納体本体を展開させることで、作業者を覆う面積を広く確保できるので、作業者へのシーリング剤や異物の付着をより効果的に防止できる。
【００１３】
請求項３に記載の発明では、請求項１または請求項２に記載の発明において、前記装着部の少なくとも一部が前記把持部の少なくとも一部を兼ねていることを特徴とする。
【００１４】
したがって、装着部を把持部と完全に別体で設けた構成と比較して、構造を簡略化できる。
【００１５】
請求項４に記載の発明では、請求項１〜請求項３のいずれか１項に記載の発明において、前記収納体本体に備えられ、シーリング・ポンプアップ装置を構成する構成部材に対応してこの構成部材を収納する収納部、を有することを特徴とする。
【００１６】
収納部のそれぞれに、対応する構成部材を収納することで、構成部材の紛失を防止できる。また、パンク修理作業の作業性も向上させることができる。
【００１７】
請求項５に記載の発明では、請求項１〜請求項４のいずれか１項に記載の発明において、少なくとも作業者に装着された状態で発光する発光部材、をさらに有することを特徴とする。
【００１８】
発光部材の発光により、作業者以外の人間が作業者をより確実に視認可能となるので、作業の安全性を向上させることができる。
【００１９】
また、パンク修理作業を行うときに発光部材の光を利用することで、作業性をより高めることが可能になる。
【００２０】
この発光部材としては、たとえば電球や発光ダイオード等であってもよいが、請求項６に記載のように、前記発光部材が、外部から入射した光を反射する反射部材、を含んで構成されていれば、電源が不要で、且つ電球や発光ダイオードよりも軽量化でき、構造も簡単になる。
【発明の効果】
【００２１】
本発明は上記構成としたので、シーリング・ポンプアップ装置を確実に保護でき、しかもシーリング・ポンプアップ装置の利便性も向上させることが可能になる。
【発明を実施するための最良の形態】
【００２２】
図２には、本発明の一実施形態のシーリング・ポンプアップ装置収納体１２（以下、単に「収納体１２」とする）と、この収納体１２に収納されるシーリング・ポンプアップ装置８０が示されている。また、図１には、シーリング・ポンプアップ装置８０を収納した状態の収納体１２が、図３には、展開状態の収納体１２がそれぞれ示されている。
【００２３】
このシーリング・ポンプアップ装置８０は、パンクした空気入りタイヤ（以下、単に「タイヤ」という。）内にシーリング剤を注入した後、このタイヤ内に圧縮空気を供給してタイヤを所定の基準圧まで内圧を再加圧するものである。
【００２４】
本実施形態では、シーリング・ポンプアップ装置８０は、箱状のケーシング８４を備えており、その内部に、エアコンプレッサや、シーリング剤を収容したシーリング剤容器、さらに、このシーリング剤容器内からシーリング剤を吸引してタイヤ内へ供給するための給液ポンプ、そして、これらを制御する制御回路等が配設されて一体化されている。本実施形態の収納体１２では、このような一体型のシーリング・ポンプアップ装置８０を収納対象としている。
【００２５】
また、シーリング・ポンプアップ装置８０は電源ケーブル及びエアホース（いずれも図示省略）を備えており、電源ケーブルを車両に設けられたシガーソケットに接続して、電力供給を受けることができる。またエアホースタイヤバルブに接続して、エアコンプレッサによりタイヤ内へ圧縮空気が供給可能になる。
【００２６】
収納体１２は、シーリング・ポンプアップ装置８０を収納する収納体本体１４を有している。収納体本体１４は防水性部材で構成されており、シーリング・ポンプアップ装置８０の周囲を包囲した状態でバッグ状となり、シーリング・ポンプアップ装置８０に外界から水分や埃等の異物が付着しないようにして収納できる。
【００２７】
収納体本体１４には、一対に留め紐１６が備えられており、収納体本体１４がシーリング・ポンプアップ装置８０を収納した状態で、留め紐１６の先端のバックル１８を係合させて、収納状態を維持できる。
【００２８】
さらに収納体本体１４には、一対の取っ手部２０、２２が備えられている。取っ手部２０、２２は、収納体本体１４がシーリング・ポンプアップ装置８０を収納した状態で逆Ｕ字状となる位置及び形状とされており、この取っ手部２０、２２をユーザーが把持して、収納体１２及びシーリング・ポンプアップ装置８０を移動等させることができる。
【００２９】
図３に示すように、収納体本体１４は、展開状態では、ユーザー（作業者）に装着されるエプロン状の作業着２４となるように、その形状が決められている。また、展開状態では、一方の取っ手部２０が、作業者の頸部に掛けられることで収納体本体をユーザーに装着可能とする装着部２６になっている。
【００３０】
さらに、展開状態では、留め紐１６の先端のバックル１８を係合させることで、ユーザーの腰部に巻き回す装着部２８となっている。
【００３１】
収納体本体１４には、図３及び図４に示すように、収容ポケット３０が備えられている。収容ポケット３０には、たとえば取扱説明書８６等の周辺部材を収容可能とされている。また、収容ポケット３０は、収納体本体１４をエプロン状としてユーザーが装着したときに、収容物を取り出しやすい位置（たとえば前面）となるように、その位置が決められている。
【００３２】
さらに収納体本体１４には、エプロン状としてユーザーが装着したときに、外部から視認可能な位置に、反射板３２が取り付けられている。反射板３２は、外部からの光を受けて反射する。
【００３３】
次に、本実施形態の収納体１２の作用を説明する。
【００３４】
シーリング・ポンプアップ装置８０を使用しない状態では、図１に示すように、収納体本体１４によってシーリング・ポンプアップ装置８０（図２参照）を収納することができる。収納体本体１４は防水性材料で構成されており、しかもバックル１８を係合させることで留め紐１６によって収納状態を維持できるので、シーリング・ポンプアップ装置８０を外界の雨や埃等の異物から保護することができる。
【００３５】
収納状態では、取っ手部２０、２２が逆Ｕ字状となっており、ユーザーはこの取っ手部２０、２２を把持して、容易に持ち運び等ができる。
【００３６】
シーリング・ポンプアップ装置８０を用いてパンクしたタイヤを修理する場合には、ユーザーは、バックル１８の係合を解除し、収納体本体１４によるシーリング・ポンプアップ装置８０の収納状態を解除する。
【００３７】
収納体本体１４を広げるとエプロン状の作業着２４となるので、ユーザーは、図４に示すように一方の取っ手部２０を頸部に掛ける（装着部２６として取っ手部２０を使用する）と共に、留め紐１６を腰部に回してバックル１８を係合させる（装着部２８として留め紐１６を使用する）。
【００３８】
このようにして、エプロン状の作業着２４を装着した状態で、ユーザー（作業者）は、エアホースをタイヤのタイヤバルブに接続し、接続プラグを車両のシガーソケットに接続する。そして、シーリング・ポンプアップ装置８０を動作させることで、シーリング剤が、エアホース及びタイヤバルブを通してタイヤ内へ供給される。
【００３９】
規定量のシーリング剤をタイヤの内部へ注入したならば、シーリング・ポンプアップ装置８０は、エアホースを通して圧縮空気をタイヤ内へ供給し、タイヤを膨張させる。
【００４０】
以上の作業中において、作業者は常に、エプロン状の作業着２４を装着している。したがって、作業中に、シーリング剤や、タイヤ・路面の泥や埃等がユーザーに付着することを防止できる。
【００４１】
また、たとえば夜間や雨天の作業のときには、反射板３２が外部の光を反射するので、外部から作業者の存在を容易且つ確実に確認することが可能となり、作業の安全性を高めることができる。
【００４２】
作業着２４の収容ポケット３０には、取扱説明書８６等の周辺部材が収容されている。作業者は、これらの周辺部材を容易に取り出して使用することができるので、作業性が高くなる。周辺部材の使用後は、収容ポケット３０に収容することで、これら紛失する可能性も低くできる。
【００４３】
図５には、本発明の第２実施形態の収納体４２が示されている。第２実施形態では第１実施形態と異なり、図７に示すように、少なくともシーリング剤容器９２とコンプレッサー９４とが別体に分離された分離型のシーリング・ポンプアップ装置９０を収納対象としている。なお、分離型のシーリング・ポンプアップ装置としては、これら以外の構成要素も分離されていてよいが、以下では説明の便宜上、特にシーリング剤容器９２とコンプレッサー９４とを取り上げる。実際の分離型のシーリング・ポンプアップ装置においてこれら以外の構成要素は、シーリング剤容器９２やコンプレッサー９４に対しさらに別体とされていてもよいし、一体化されていてもよい。
【００４４】
第２実施形態の収納体４２を構成する収納体本体４４は、展開状態では、図７に示すようにエプロン状の作業着８８となるような形状とされている。展開状態での長手方向の一端に１つの取っ手部４６が備えられ、他端には取っ手部４６が挿通される挿通孔４８が形成されている。
【００４５】
また、収納体本体４４には、シーリング・ポンプアップ装置９０の構成要素のそれぞれに対応した収容ポケット５０が設けられている。収容ポケット５０に、対応する構成要素を収容した状態で、図６に示すように収納体本体４４を折り込み、さらに、図５に示すように挿通孔４８に取っ手部４６を挿通すれば、取っ手部４６を把持可能なバッグ状となる。
【００４６】
なお、第２実施形態の収納体本体４４にも、第１実施形態と同様に、留め紐１６、収容ポケット３０（取扱説明書等の収容用）、及び反射板３２が設けられている。
【００４７】
このような構成とされた第２実施形態の収納体４２に関しても、第１実施形態と同様に、シーリング・ポンプアップ装置９０を使用しない状態では、収容ポケット５０のそれぞれに、シーリング・ポンプアップ装置９０の構成要素を収容した状態で収納体本体４４を折り込んでバッグ状にすれば、取っ手部４６を把持して容易に持ち運び可能となる。
【００４８】
シーリング・ポンプアップ装置９０の使用時には、挿通孔４８から取っ手部４６を抜き出し、収納体本体４４を展開する。展開状態ではエプロン状の作業着５２となるので、取っ手部４６を作業者の頸部に掛けると共に、留め紐１６を腰部に回してバックル１８を係合させる。作業者は、エプロン状の作業着５２を装着して作業できるので、作業中に、シーリング剤や、タイヤ・路面の泥や埃等がユーザーに付着することを防止できる。しかも、作業着５２を装着した状態で、シーリング・ポンプアップ装置９０の構成要素を作業者が身に付けていることになるので、作業性が特に向上する。
【００４９】
また、反射板３２が外部の光を反射するので、外部から作業者の存在を容易且つ確実に確認することが可能となり、作業の安全性を高めることができる。
【００５０】
さらに第２実施形態では、シーリング・ポンプアップ装置９０の構成要素のそれぞれが、対応する収容ポケット５０に収容される。すなわち、分離型のシーリング・ポンプアップ装置９０であっても、構成要素を紛失する可能性が低くなる。
【００５１】
以上説明したように、本発明では、シーリング・ポンプアップ装置を外界の雨や埃等の異物から確実に保護することができ、しかも、シーリング・ポンプアップ装置を非使用状態で容易に持ち運びでき、使用状態では作業者へのシーリング剤や、タイヤ・路面の泥や埃等の付着を防止でき、利便性が向上する。しかも、シーリング・ポンプアップ装置を収納する収納体本体が作業着を兼ねているので、部品点数の増加を抑えることができ、低コストで構成できる。
【００５２】
なお、上記各実施形態では、取っ手部２０、または取っ手部４６が、本発明の把持部と装着部を兼ねた構成としたが、これらは別々の部材として設けられていてもよい。上記実施形態のように、把持部の一部が装着部の一部を兼ねる構成とすると、構造を簡略化でき、好ましい。
【００５３】
また、ぞれぞれの収納体本体１４、４４は、作業者に装着される状態で必ずしも展開されていなくてもよい。すなわち、非展開状態でも、作業者に装着されて、その身体の一部を覆うことで、パンク修理作業中でのシーリング剤や泥、埃等の付着を防止できる。もちろん、展開状態で作業者に装着するほうが、より広い面積で作業者を覆うことができるので、好ましい。
【００５４】
さらに、展開状態での形状として、上記したものよりもさらに広い面積で作業者を覆うことができるようにしてもよい。たとえば、いわゆるレインコートのように、作業者の頭部や腕部等も覆うことができるようにすると、作業者へのシーリング剤や泥、埃等の付着を広い範囲で防止できるので、好ましい。
【００５５】
本発明の発光部材としても、上記では反射板３２を挙げたが、これに限定されない。たとえば、発光ダイオードや電球等を予め取り付けておき、シーリング・ポンプアップ装置８０の電力の一部が供給されて発光する構成でもよい。発光ダイオードや電球を用いた構成では、暗がりであってもこれらの光を利用してパンク修理作業を行うことが可能になる。ただし、この構成では、シーリング・ポンプアップ装置８０の電力を発光ダイオード等で消費してしまう。また、発光ダイオード等によって重量増を招き、構造も複雑になる。これに対し、上記実施形態のように反射板を使用すると、電力も不要であり、簡単且つ軽量な構造で発光させることができるので、好ましい。
【図面の簡単な説明】
【００５６】
【図１】本発明の第１実施形態のシーリング・ポンプアップ装置収納体を、シーリング・ポンプアップ装置を収納した状態で示す斜視図である。
【図２】本発明の第１実施形態のシーリング・ポンプアップ装置収納体を、シーリング・ポンプアップ装置を収納する途中の状態で示す斜視図である。
【図３】本発明の第１実施形態のシーリング・ポンプアップ装置収納体を、展開状態で示す斜視図である。
【図４】本発明の第１実施形態のシーリング・ポンプアップ装置収納体を、ユーザー（作業者）が装着した状態で示す斜視図である。
【図５】本発明の第２実施形態のシーリング・ポンプアップ装置収納体を、シーリング・ポンプアップ装置を収納した状態で示す斜視図である。
【図６】本発明の第２実施形態のシーリング・ポンプアップ装置収納体を、シーリング・ポンプアップ装置を収納する途中の状態で示す斜視図である。
【図７】本発明の第２実施形態のシーリング・ポンプアップ装置収納体を、展開状態で示す斜視図である。
【図８】本発明の第２実施形態のシーリング・ポンプアップ装置収納体を、ユーザー（作業者）が装着した状態で示す斜視図である。
【符号の説明】
【００５７】
１２  シーリング・ポンプアップ装置収納体
１４  収納体本体
１６  留め紐
１８  バックル
２０  取っ手部
２４  作業着
２６  装着部
２８  装着部
３０  収容ポケット
３２  反射板
４２  収納体
４４  収納体本体
４６  取っ手部
４８  挿通孔
５０  収容ポケット
５２  作業着
８０  シーリング・ポンプアップ装置
８２  シーリング剤
８４  ケーシング
８６  取扱説明書
８８  作業着
９０  シーリング・ポンプアップ装置
９２  シーリング剤容器
９４  コンプレッサー
【図１】
2007076664.tif 000003
【図２】
2007076664.tif 000004
【図３】
2007076664.tif 000005
【図４】
2007076664.tif 000006
【図５】
2007076664.tif 000007
【図６】
2007076664.tif 000008
【図７】
2007076664.tif 000009
【図８】
2007076664.tif 000010